(57)【要約】【課題】  既存の生産ラインを使うことができ特殊な仕掛けを搭載した粉末搭載キャップを製造する機械、生産ラインを用意する必要がなく低コストで新鮮な緑茶などのお茶、栄養粉末飲料、飲料水を提供する。【解決手段】  栄養粉末封入袋をボトルの首部分にぶら下げることにより開封時まで保存料などの添加物を混入する必要がなく、栄養粉末もしくは飲料用粉末混入時は、新鮮な香りと味を楽しむことができ栄養成分の変質ならびに低下を防ぐことができるようにし、お茶、植物の葉などの形で栄養粉末封入袋を作ることにより、新鮮さをアピールすることができるようにし、かつ、特殊な仕掛けを搭載したキャップを製造し、特殊な生産ラインを構築する必要もなく低コストで新鮮な緑茶などのお茶、栄養粉末飲料、飲料水を提供できるようにした。【選択図】図２
2007168897.tif 000002
【特許請求の範囲】
【請求項１】
ボトル本体の首部分に密閉された栄養粉末もしくは飲料用粉末をぶら下げるようにした栄養粉末封入袋。
【請求項２】
使用者はその場で栄養粉末袋をボトルの首部分からはずし、封を開けることにより、ボトルのキャップをはずし栄養粉末もしくは飲料用粉末をボトル内へ落下させ、後にボトルのキャップを閉め振ることで出来立ての新鮮な栄養ドリンクまたは飲料を飲むことができるようにしたこと。
【請求項３】
粉末緑茶、紅茶、ウーロン茶などのお茶の場合は新鮮さを消費者にアピールするために形状はお茶の葉もしくは植物の葉の形を特徴とした栄養粉末封入袋。
【請求項４】
栄養粉末封入袋をボトルの首部分にぶら下げることにより開封時まで保存料などの添加物を混入する必要がなく、栄養粉末もしくは飲料用粉末混入時は新鮮な香りと味を楽しむことができ栄養成分の変質ならびに低下を防ぐことができる。
【請求項５】
栄養粉末封入袋をボトルの首部分にぶら下げることにより飲料製造メーカーは既存の生産ラインを使うことができ特殊な仕掛けを搭載した粉末搭載キャップを製造する機械、生産ラインを用意する必要がなく低コストで新鮮な栄養粉末飲料を提供することが可能。
【請求項６】
栄養粉末封入袋１２とボトルの首部分にぶら下げるようにするために先端をリング状１３にした部分との間にある切れ口部１７を作ることにより、リング状の部分１３と栄養粉末封入袋１２をキャップをくぐらして取り外すことなく簡単に開封しボトル内に混入することができる。
【請求項７】
栄養粉末封入袋１２の形状をスティック上にすることにより、より簡単に粉末をボトル内に落下させることができる。
【発明の詳細な説明】
【技術分野】
【０００１】    この発明はプラスチックもしくはビニールもしくはアルミニウムもしくはこれらの組み合わせにより作られたものを用いて作られ、ボトルに入れられた液体に混合されるべき栄養粉末もしくは飲料用粉末を封入した栄養粉末袋をボトルの首部分にぶら下げ、飲料時に栄養粉末袋を切り、栄養粉末もしくは飲料用粉末を落下させボトル内で混合させることにより、味、風味、栄養成分を損なうことなく、また保存料などの添加物を添加することなく新鮮な緑茶、栄養飲料、飲料水を飲むことができる仕組みに関する。
【背景技術】
【０００２】  ボトルの中に粉末を落とす方法は以前からネジ型で回転させながら粉末収納蓋を破り落下させる技術がある。しかしこの仕組は開口するときに力を入れながら回転させなければならない分時間がかかり簡単開口ではない。また、公開番号Ｐ２００４−８３０２２Ａの発明は開口器が直接栄養粉末に接しているため完全密封を実現することが難しく栄養粉末を収納しても新鮮さを維持することが難しいという欠点がある。またこのような特殊なキャップを製造し製造ラインに乗せるのは非常にコストがかかる。
【特許文献１】  公開番号Ｐ２００４−８３０２２Ａ
【０００３】  公開番号Ｐ２００３−０８１３５７の発明はキャップを一旦取り外し、再度裏返してキャップをネジ着して、密閉容器蓋を破り粉末体をボトル内に落下させるという手間と時間がかかる。またこの発明は密閉容器に収容されたすべての粉末体をボトル内の液体に落下させることに難点がある。またこのような特殊なキャップを製造し製造ラインに乗せるのは非常にコストがかかる。
【特許文献２】  公開番号Ｐ２００３−０８１３５７
【０００４】  公開番号２００３−７２８２２、２００３−０３４３６７の発明に関しても同様で密閉容器に収容されたすべての粉末体をボトル内の液体に落下させることに難点があり、ある程度の粉末体が密閉容器内に残ってしまう。またこのような特殊なキャップを製造し製造ラインに乗せるのは非常にコストがかかる。
【特許文献３】  公開番号２００３−７２８２２
【特許文献４】  公開番号２００３−０３４３６７
【０００５】  公開番号２００３−０３４３６７の発明に関しては開口時に密閉容器内の粉末体が圧縮されてしまい、粉末体がボトル内の液体に落下しても容易に混合することができないという欠点をもつ。またこのような特殊なキャップを製造し製造ラインに乗せるのは非常にコストがかかる。
【特許文献５】  公開番号２００３−０３４３６７
【発明の開示】
【発明が解決しようとする課題】
【０００６】  しかしながら、ネジ型で回転させながら粉末収納蓋を破り落下させる技術は開口するときに力を入れて回転させなければならない分時間がかかり、開口器が直接栄養粉末に接しているため完全密封を実現することが難しく栄養粉末を収納しても新鮮さを維持することが難しいという問題点がある。【０００７】  また、キャップを一旦取り外し、再度裏返してキャップをネジ着して、密閉容器蓋を破り粉末体をボトル内に落下させる技術も手間と時間がかかり密閉容器に収容されたすべての粉末体をボトル内の液体に落下させることに難点がある。【０００８】    また、公開番号２００３−０３４３６７の技術のように開口時に密閉容器内の粉末体が圧縮されてしまい、粉末体がボトル内の液体に落下しても容易に混合することができないという問題点もあった。
【課題を解決するための手段】
【０００９】  この発明の栄養粉末封入袋は、ボトルに入れられた液体に混合されるべき栄養粉末もしくは飲料用粉末を封入した栄養粉末袋をボトルの首部分にぶら下げ、飲料時に栄養粉末袋を切り栄養粉末もしくは飲料用粉末を落下させボトル内で混合させることにより、味、風味、栄養成分を損なうことなく、また保存料などの添加物を添加することなく新鮮な緑茶、栄養飲料、飲料水を飲むことができるようにした。
【発明の効果】
【００１０】  本発明は粉末緑茶をはじめとする各種栄養粉末、飲料用粉末を栄養粉末袋に封入し、ペットボトル、ガラス瓶、金属ボトル型容器の首部分にぶら下げることにより、飲料時、簡単に、美味しく、新鮮な飲料を提供できるようにした。
【発明を実施するための最良の形態】
【００１１】  以下、本発明の最良の実施形態を図面にも基づき説明する。【００１２】  いまボトル内には水またはジュースなどの液体が封入されている。また、ボトルの首部分には栄養粉末もしくは飲料用粉末を封入した栄養粉末袋がぶら下げられている。【００１３】  使用者は、ボトルのキャップを取り外し、栄養粉末袋をボトルの首部分から取り外し、もしくは切り取り、栄養粉末袋に封入されている栄養粉末もしくは飲料用粉末をボトル内に落下させた後、キャップを閉め十分に振ることにより、その場で新鮮な栄養飲料水が出来上がる。【００１４】  このように本発明、ボトルの首部分にぶら下げるようにした栄養粉末袋粉末は低コストで簡単に新鮮なお茶や栄養飲料水などをその場で使用者が作ることができる。飲用に際して両者を混合させることで栄養成分の酸化ならびに低下を防ぎ、防腐剤を使用する必要もなくなり使用者に健康で新鮮な飲料水を提供することができる。
【実施例】
【００１５】  本発明のボトル本体はそれぞれ既存のペットボトル、ガラスボトル、金属ボトルを使用することが可能であり、ボトルの首部分にぶら下げるようにした栄養粉末袋はプラスティックもしくはビニールもしくはアルミニウムなどの素材で作られた袋を使用するのが好ましい。【００１６】  ボトルの首部分にぶら下げるようにした栄養粉末袋に封入する緑茶粉末および栄養粉末および飲料用粉末は０．５ｇから１０ｇに収まる程度で封入するのが好ましい。【００１７】  ボトルの首部分にぶら下げた栄養粉末袋は運送時に逆さにしても脱落しないように脱落防止機能を設けるほうが好ましい。
【産業上の利用可能性】
【００１８】  以上説明したように本発明は粉末緑茶をはじめとする各種栄養粉末、飲料用粉末を密閉袋に封入し、ペットボトル、ガラス瓶、金属ボトル型容器の首部分にぶら下げることにより、飲料時、簡単に、美味しく、防腐剤を添加する必要のない新鮮な飲料を低コストの製造費用で提供できるようにした。特に粉末緑茶に関しては緑茶本来の香りと栄養成分を損なうことなく効率的に摂取することができる。
【図面の簡単な説明】
【００１９】
【図１】本発明によるボトルの首部分にぶら下げるようにした栄養粉末封入袋１２で、ボトル１１の首部分にキャップ１４の上からぶら下げるようにするために先端をリング状１３にすることでぶら下がっている状態を表現したものである。
【図２】本発明によるボトルの首部分にぶら下げるようにした栄養粉末封入袋１２で、ボトル１１の首部分にキャップ１４の上からぶら下げるようにするために先端をリング状１３にすることでぶら下がっている状態を表現したもので、特にペットボトルでの装着例を表現したものである。
【図３】本発明によるボトルの首部分にぶら下げるようにした栄養粉末封入袋１２とボトルの首部分にぶら下げるようにするために先端をリング状１３にした部分の拡大図である。
【図４】本発明によるボトルの首部分にぶら下げるようにした小型版の栄養粉末封入袋１２とボトルの首部分にぶら下げるようにするために先端をリング状１３にした部分の拡大図である。
【図５】本発明によるボトルの首部分にぶら下げるようにしたデザイン的にシンプルな栄養粉末封入袋１２とボトルの首部分にぶら下げるようにするために先端をリング状１３にした部分の拡大図で１５は栄養粉末封入袋１２とボトルの首部分にぶら下げるようにするために先端をリング状１３にした部分との境目を表している。
【図６】本発明によるボトルの首部分にぶら下げるようにした栄養粉末封入袋１２とボトルの首部分にぶら下げるようにするために先端をリング状１３にした部分の拡大図で１９は運送時などに逆さにしたときに脱落を防止する形状を表現したものである。脱落防止１９の形状はボトルの首部分にぶら下げるようにするために先端をリング状１３にした部分の延長状のもので切込みが入った形状を表現したものである。
【図７】本発明によるボトルの首部分にぶら下げるようにした栄養粉末封入袋１２とボトルの首部分にぶら下げるようにするために先端をリング状１３にした部分の拡大図で１６は運送時などに逆さにしたときに脱落を防止する形状を表現したものである。脱落防止１６の形状はボトルの首部分にぶら下げるようにするために先端をリング状１３にした部分の延長状のもので切込みが入った形状を表現したものである。
【図８】本発明によるボトルの首部分にぶら下げるようにした栄養粉末封入袋１２とボトルの首部分にぶら下げるようにするために先端をリング状１３にした部分の拡大図で１７は栄養粉末封入袋１２とボトルの首部分にぶら下げるようにするために先端をリング状１３にした部分との間にある切れ口を表している。１８は栄養粉末もしくは粉末緑茶もしくは飲料用粉末が封入されている部分を示したもので切れ口部１７を切ったときに開封することができることを表している。
【図９】本発明によるボトルの首部分にぶら下げるようにした栄養粉末封入袋１２とボトルの首部分にぶら下げるようにするために先端をリング状１３にした部分の拡大図で使用者が粉末をよりボトル内に落下しやすいようにスティック状になっており、１７は栄養粉末封入袋１２とボトルの首部分にぶら下げるようにするために先端をリング状１３にした部分との間にある切れ口を表している。１８は栄養粉末もしくは粉末緑茶もしくは飲料用粉末が封入されている部分を示したもので切れ口部１７を切ったときに開封することができることを表している。
【符号の説明】
【００２０】１１、ボトル本体
１２、栄養粉末封入袋
１３、リング状の穴
１４、キャップ
１５、栄養粉末封入袋とリング状の穴の境目
１６、長めの切込みによる脱落防止機能
１７、切り口
１８、粉末が封入された部分線
１９、短めの切込みによる脱落防止機能
【図１】
2007168897.tif 000003
【図２】
2007168897.tif 000004
【図３】
2007168897.tif 000005
【図４】
2007168897.tif 000006
【図５】
2007168897.tif 000007
【図６】
2007168897.tif 000008
【図７】
2007168897.tif 000009
【図８】
2007168897.tif 000010
【図９】
2007168897.tif 000011